(57)【要約】      （修正有）【課題】ボイドスペースの縦方向以外の横方向へも光拡散反射を積極的に生じさせてボイドスペース内部での反射光の均一化・眩しさ低減化を図ることができるボイドスペース導光システムを提供する。【解決手段】ボイドスペースへの平行入射光Ｌ１に対する、ボイドスペース縦方向への縦光拡散反射機能（縦反射光Ｌ２の拡散機能）と、ボイドスペース横方向への横光拡散反射機能（横反射光Ｌ３の拡散機能）とを備えた光拡散鏡面作用部（縦凸状鏡面部材３および横凸状鏡面部材５）を、ボイドスペースの建物外壁面に配設した。【選択図】図１
2016133562.tif 000002
【特許請求の範囲】
【請求項１】
光拡散反射用の凸状または凹状の光拡散鏡面作用部の動作によりボイドスペースへの入射光がその内部へと導光されるボイドスペース導光システムにおいて、
前記光拡散鏡面作用部は、
前記ボイドスペースの空間域を構成する要素に配設されて、
前記入射光に対する、ボイドスペース縦方向への縦光拡散反射機能と、ボイドスペース横方向への横光拡散反射機能とを備えたものである、
ことを特徴とするボイドスペース導光システム。
【請求項２】
前記光拡散鏡面作用部は、
前記縦光拡散反射機能を備えた縦鏡面部材と、
前記横光拡散反射機能を備えた横鏡面部材と、からなる、
ことを特徴とする請求項１記載のボイドスペース導光システム。
【請求項３】
前記光拡散鏡面作用部は、
前記縦鏡面部材と前記横鏡面部材とを並置した形の光拡散鏡面部材ユニットである、
ことを特徴とする請求項２記載のボイドスペース導光システム。
【請求項４】
前記光拡散鏡面作用部は、
前記縦光拡散反射機能と前記横光拡散反射機能とを併せ備えた斜め鏡面部材である、
ことを特徴とする請求項１記載のボイドスペース導光システム。
【請求項５】
請求項１記載のボイドスペース導光システムのための光拡散鏡面作用部であって、
前記縦光拡散反射機能を備えた縦鏡面部材と、前記横光拡散反射機能を備えた横鏡面部材とを並置した形の光拡散鏡面部材ユニットからなる、
ことを特徴とする光拡散鏡面作用部。
【発明の詳細な説明】
【技術分野】
【０００１】
本発明は、光拡散反射用の凸状または凹状の鏡面部材を用いることにより、建物同士の谷間部分，建造物内部や吹き抜け底面部分などのボイドスペースへ導光するシステムおよびそのための光拡散鏡面作用部に関する。
【０００２】
なお、本件出願においては、入射光が届きにくい各種空間域を示す意で「ボイドスペース」の語を用いる。このボイドスペースには人工的な建物，建造物や自然界における各種の暗空間域が含まれる。
【０００３】
また、光拡散反射用の「凸状または凹状の鏡面部材」は、後述のようにその断面形状が円弧，楕円の一部や多角形などの各種態様のものが含まれる。
【０００４】
また、本発明の導光システムの適用対象となるボイドスペースの上下方向を「縦」方向といい、これに対する左右の方向を「横」方向という。
【０００５】
また、縦・横のそれぞれに対して傾斜する方向を「斜め」方向という。縦・横に４５度傾斜した方向は「斜め」方向の一つの典型例である。
【０００６】
特に、凸状または凹状の光拡散面をもつ光拡散鏡面部材を、ボイドスペースの壁面などに、入射光が当該ボイドスペースの縦方向および横方向のそれぞれに拡散反射していく態様で配設した導光システム、およびそのための光拡散鏡面作用部に関する。
【０００７】
この新たな導光システムでは例えば図１に示すように、右側の縦凸状鏡面部材と左側の横凸状鏡面部材とが横並置状態で例えば建物北側外壁面に配設される。
【０００８】
なお、図１右側の縦凸状鏡面部材はその鏡面上各点の例えば建物北側外壁面に対するいわば高さがボイドスペースの縦方向に円弧形状で変化し、図１左側の横凸状鏡面部材はその当該高さがボイドスペースの横方向に円弧形状で変化している。
【０００９】
また、図６に示すように、鏡面上各点の例えば建物北側外壁面に対するいわば高さがボイドスペースの斜め方向に円弧形状で変化する斜め凸状鏡面部材も用いている。
【００１０】
これらの縦凸状鏡面部材，横凸状鏡面部材および斜め凸状鏡面部材はそれぞれ光拡散反射用の凸状鏡面部材である。
【００１１】
この縦凸状鏡面部材，横凸状鏡面部材および斜め凸状鏡面部材は入射光拡散方向に応じてそれぞれに適した曲率半径の各凸面に設定しえる。
【００１２】
なお、縦凸状鏡面部材，横凸状鏡面部材および斜め凸状鏡面部材の各凸面の曲率半径を略同値に設定する場合、これら「光拡散反射用の鏡面部材」の「縦」，「横」，「斜め」はボイドスペースを構成する建物壁面などに配設されるときの取付け態様となる。すなわち、例えば縦凸状鏡面部材と横凸状鏡面部材との形状自体に違いはない。
【００１３】
上述の凸状鏡面部材それぞれの曲率半径に関する記述は、「光拡散反射用の鏡面部材」として縦凹状鏡面部材，横凹状鏡面部材および斜め凹状鏡面部材を用いる場合にも妥当する。
【００１４】
ここで概略的にいえば、近傍反射点への同一方向入射光に対する各反射拡散光は、縦凸状鏡面部材（図１右側）の場合には縦（下）方向に進み、横凸状鏡面部材（図１左側）の場合には横方向に進む。
【００１５】
すなわち、同一方向入射光に対して、縦凸状鏡面部材は縦方向への拡散反射作用を呈し、横凸状鏡面部材は横方向への拡散反射作用を呈する。
【００１６】
また、斜め凸状鏡面部材は、縦凸状鏡面および横凸状鏡面それぞれの要素を併せ備えたものであり、縦方向と横方向の双方への拡散反射作用を呈しえる。
【背景技術】
【００１７】
従来、建物同士の谷間部分，建造物内部や吹き抜け底面部分などに生じるボイドスペースに、その入射開口部からの太陽光を鏡面部材で拡散反射させて導くことが提案されている。
【００１８】
このボイドスペースへの導光手段として用いられる光拡散反射用の鏡面部材は、もっぱら上述の縦凸状鏡面部材（図１右側）に相当する。
【先行技術文献】
【特許文献】
【００１９】
【特許文献１】特開２０１０−２３８５３３号公報
【発明の概要】
【発明が解決しようとする課題】
【００２０】
このようにボイドスペースの構成要素である上下方向壁面に縦凸状鏡面部材を取り付けることは、ボイドスペース下方への良好な拡散導光状態を確保できるといった一定の利便性を有している。
【００２１】
ただ、ここではもっぱらボイドスペースの下方向への光拡散反射のみが想定されており、横方向への光拡散反射の積極的利用までの考慮をしていない。
【００２２】
そこで、本発明では、建物の外壁面，内壁面などに、例えば縦凸状鏡面部材と横凸状鏡面部材とを横並びや縦並びで交互に並置し、また、当該並置に代え、これと等価ともいえる例えば斜め凸状鏡面部材を配設する態様に設定している。
【００２３】
このような例えば縦凸状鏡面部材および横凸状鏡面部材の並置や、斜め凸状鏡面部材の配設により、ボイドスペースの縦方向以外の横方向へも光拡散反射を積極的に生じさせてボイドスペース内部での反射光の均一化・眩しさ低減化を図ることを目的とする。
【課題を解決するための手段】
【００２４】
本発明は、以上の課題を次のようにして解決する。
（１）光拡散反射用の凸状，凹状の光拡散鏡面作用部の動作によりボイドスペース（例えば後述のボイドスペース２）への入射光（例えば後述の平行入射光Ｌ１）がその内部へと導光されるボイドスペース導光システムにおいて、
前記光拡散鏡面作用部（例えば後述の縦凸状鏡面部材３，横凸状鏡面部材５，斜め凸状鏡面部材８）は、
前記ボイドスペースの空間域を構成する要素（例えば後述の建物外壁面１，１ａ〜１ｄ）に配設されて、
前記入射光に対する、ボイドスペース縦方向への縦光拡散反射機能（例えば後述の縦反射光Ｌ２の拡散機能）と、ボイドスペース横方向への横光拡散反射機能（例えば後述の横反射光Ｌ３の拡散機能）とを備えたものである、
構成態様のものを用いる。
（２）上記（１）において、
前記光拡散鏡面作用部は、
前記縦光拡散反射機能を備えた縦鏡面部材（例えば後述の縦凸状鏡面部材３）と、
前記横光拡散反射機能を備えた横鏡面部材（例えば後述の横凸状鏡面部材５）と、からなる、
構成態様のものを用いる。
（３）上記（２）において、
前記光拡散鏡面作用部は、
前記縦鏡面部材と前記横鏡面部材とを並置した形の光拡散鏡面部材ユニット（例えば後述の光拡散鏡面部材横ユニット７，７ａ〜７ｄ）である、
構成態様のものを用いる。
（４）上記（１）において、
前記光拡散鏡面作用部は、
前記縦光拡散反射機能と前記横光拡散反射機能とを併せ備えた斜め鏡面部材（例えば後述の斜め凸状鏡面部材８）である、
構成態様のものを用いる。
（５）上記（１）のボイドスペース導光システムのための光拡散鏡面作用部であって、
前記縦光拡散反射機能を備えた縦鏡面部材（例えば後述の縦凸状鏡面部材３）と、前記横光拡散反射機能を備えた横鏡面部材（例えば後述の横凸状鏡面部材５）とを並置した形の光拡散鏡面部材ユニット（例えば後述の光拡散鏡面部材横ユニット７，７ａ〜７ｄ）からなる、
構成態様のものを用いる。
【００２５】
以上の構成からなる光拡散反射用の鏡面作用部を用いたボイドスペース導光システム、および建物外壁面などに配設されてボイドスペースの縦・横両方向への十分な光拡散反射作用が期待できる光拡散鏡面作用部を、本発明の対象としている。
【発明の効果】
【００２６】
本発明は以上の課題解決手段により、ボイドスペースの縦方向以外の横方向へも光拡散反射を積極的に生じさせてボイドスペース内部での反射光の均一化・眩しさ低減化を図ることができる。
【図面の簡単な説明】
【００２７】
【図１】ボイドスペースを構成する建物北側外壁面の上端部分に横並びで配設された、右側の縦凸状鏡面部材と左側の横凸状鏡面部材との縦横一組からなる全体横方向の光拡散鏡面部材、およびこれら各鏡面部材での光拡散反射方向を示す説明図である。
【図２】縦凸状鏡面部材が上下方向に連続する縦凸状ブロックと、横凸状鏡面部材が左右方向に連続する横凸状ブロックとの一組を横並びに設けた光拡散鏡面部材横ユニットが、図１の建物北側外壁面の上端部分に配設された状態を示す説明図である。
【図３】図２のボイドスペースおよび光拡散鏡面部材横ユニットなどの縦断面状態を示す説明図である。
【図４】図２の光拡散鏡面部材横ユニットが建物外壁面の上端部分に配設されたときの平面状態を示す説明図であり、(a)は東西方向の吹抜け域からなるボイドスペースであって、図２および図３と同様に、その建物北側外壁面に光拡散鏡面部材横ユニットが配設されたときの平面状態を示し、(b)は回り全体を建物外壁面で囲まれたボイドスペースであって、その西側，東側，北側の各建物外壁面に光拡散鏡面部材横ユニットが配設されたときの平面状態を示している。
【図５】図３のボイドスペースの少なくとも建物北側外壁面および建物南側外壁面それぞれの上下方向の交互に異なる高さ位置に、図２の光拡散鏡面部材横ユニットが配設されたときのボイドスペースの縦断面状態を示している。
【図６】ボイドスペースの縦方向および横方向の双方に実質的に拡散反射する機能を備えた斜め凸状鏡面部材の各種配設状態を示す説明図であり、(a)はそれぞれ斜め凸状鏡面部材が連続するブロックからなり、その左下がりブロックと右下がりブロックとが交差角９０度で対称に配設された対称連続配設状態を示し、(b)はそれぞれ斜め凸状鏡面部材が連続するブロックからなり、その左下がりブロックと右下がりブロックとが交差角９０度の非対称形状で配設された非対称連続配設状態を示し、(c)は(a)の左下がりブロックおよび右下がりブロックを構成する斜め凸状鏡面部材がそれぞれ離間態様で対称位置に配設された対称離間配設状態を示している。
【発明を実施するための形態】
【００２８】
図１〜図６を用いて本発明を実施するための形態を説明する。
【００２９】
なお、本発明の光拡散鏡面部材としては、凸状または凹状の光拡散面を持つ光拡散鏡面部材が対象となるが、以下の記載では単なる説明の便宜上、凸状の光拡散面を持つ光拡散鏡面部材（凸状鏡面部材）を前提とする。
【００３０】
また、同じく単なる説明の便宜上、光拡散鏡面部材としての凸状鏡面部材の配設場所を建物外壁面とする。
【００３１】
図１〜図６において、
１は後述の各種の光拡散鏡面部材（縦凸状鏡面部材３，横凸状鏡面部材５，斜め凸状鏡面部材８など）の配設対象となる建物外壁面，
１ａは後述のボイドスペース２の空間域構成要素としての建物北側外壁面，
１ｂは後述のボイドスペース２の空間域構成要素としての建物東側外壁面，
１ｃは後述のボイドスペース２の空間域構成要素としての建物西側外壁面，
１ｄは後述のボイドスペース２の空間域構成要素としての建物南側外壁面，
をそれぞれ示している。
【００３２】
また、
２は複数の建物外壁面１によって設定される空間域としてのボイドスペース，
３は鏡面上各点の高さが縦方向に変化する凸状円筒周面態様で、すなわち縦断面が円弧形状の態様で建物外壁面１に配設された縦凸状鏡面部材（図１〜図５参照），
４は複数の縦凸状鏡面部材３を縦方向に連続させた形の縦凸状ブロック，
５は鏡面上各点の高さが横方向に変化する凸状円筒周面態様で、すなわち横断面が円弧形状の態様で建物外壁面１に配設された横凸状鏡面部材（図１〜図５参照），
６は複数の横凸状鏡面部材５を横方向（左右方向）に連続させた形の横凸状ブロック，
７，７ａ，７ｂ，７ｃ，７ｄは縦凸状ブロック４と横凸状ブロック６とを左右方向交互に並置し形の光拡散鏡面部材横ユニット（７ａ〜７ｄは図５参照），
をそれぞれ示している。
【００３３】
図６において、
８は鏡面上各点の高さが斜め方向（縦方向＋横方向）に変化する凸状円筒周面態様で、すなわち横断面が円弧形状の態様で例えば東西方向の建物北側外壁面１ａに配設された斜め凸状鏡面部材，
８ａは西側下がり・東側上がり（左下がり・右上がり）で後述の傾斜角度θが略４５度の第一の斜め凸状鏡面部材，
８ｂは複数の第一の斜め凸状鏡面部材８ａを左右方向に連続させた第一の斜め凸状ブロック（図６(a)，(b)参照），
８ｃは第一の斜め凸状鏡面部材８ａと同じ長さからなり、東側下がり・西側上がり（右下がり・左上がり）で後述の傾斜角度θが略４５度の第二の斜め凸状鏡面部材，
８ｄは複数の第二の斜め凸状鏡面部材８ｃを左右方向に連続させた第二の斜め凸状ブロック（図６(a)参照），
８ｅは第二の斜め凸状鏡面部材８ｃをカットして図示右側の方から順次短くした形の第三の斜め凸状鏡面部材（図６(b)参照），
８ｆは複数の第三の斜め凸状鏡面部材８ｅを東西左右の横方向に、
それぞれの下端面部分が第一の斜め凸状ブロック８ｂの下端部分と同一平面上にあり、かつ、それぞれの上端面部分が当該斜め凸状ブロックの右端部分と合致する態様で、
連続させた第三の斜め凸状ブロック（図６(b)参照），
をそれぞれ示している。
【００３４】
また、図１〜図６において、
Ｌ１は例えば南西側からボイドスペース２の縦凸状鏡面部材３および横凸状鏡面部材５へ入射する平行入射光，
Ｌ２は平行入射光Ｌ１に対する縦凸状鏡面部材３での縦反射光，
Ｌ３は平行入射光Ｌ１に対する横凸状鏡面部材５での横反射光，
θは第一の斜め凸状鏡面部材８ａ，第二の斜め凸状鏡面部材８ｃおよび第三の斜め凸状鏡面部材８ｅなどそれぞれの、鉛直方向との直交横方向に対する傾斜角度，
をそれぞれ示している。
【００３５】
ここで、縦凸状鏡面部材３，横凸状鏡面部材５および斜め凸状鏡面部材８には耐環境特性が良い例えばドイツアラノッド社製のアルミニウム鏡面「Miro8」などを用いる。鏡面仕上げ処理したステンレスを用いてもよい。
【００３６】
図示のボイドスペース導光システムの基本的特徴は、
(11)図１〜図５の縦凸状鏡面部材３と横凸状鏡面部材５との組合せからなる光拡散鏡面作用部、または図６の斜め凸状鏡面部材８からなる光拡散鏡面作用部をボイドスペース２の建物外壁面１にそれぞれ図示の位置関係で配設し、
(12)これら凸状鏡面部材への平行入射光Ｌ１を、ボイドスペース内部の下方向および左右横方向のそれぞれに縦反射光Ｌ２および横反射光Ｌ３として拡散反射させる、
ことである。
【００３７】
縦凸状鏡面部材３，横凸状鏡面部材５および斜め凸状鏡面部材８の「縦」，「横」，「斜め」は、これらの凸状鏡面部材が建物外壁面１に配設された状態でのボイドスペース２における位置関係を示している。
【００３８】
上述したようにこれら「縦」，「横」，「斜め」の各凸状鏡面部材の凸面曲率半径が略同値に設定されている場合には、製建物外壁面１に配設される前の各凸状鏡面部材の間に本質的な形状の違いはない。すなわち配設前の一つの凸状鏡面部材は、そのままで、またはカット加工などにより、縦凸状鏡面部材３，横凸状鏡面部材５および斜め凸状鏡面部材８のいずれとしても、建物外壁面１に取り付けられえる。
【００３９】
なお、この同値設定の場合とは違って、ボイドスペース２の縦方向，横方向それぞれへの配光特性によりこれら各凸状鏡面部材の凸面曲率半径がそれぞれ個々に設定される多くのケースも勿論ありえる。
【００４０】
この曲率半径が個々に設定されるケースではボイドスペース２への鏡面部材による入射光拡散作用が顕著となる。
【００４１】
図１および図２のボイドスペース導光システムで示すように、建物北側外壁面１ａなどに配設された縦凸状鏡面部材３への平行入射光Ｌ１は、その縦凸状鏡面上の反射点位置に基づき異なる方向への縦反射光Ｌ２として拡散する
【００４２】
また、縦凸状鏡面部材３の場合と同様に、横凸状鏡面部材５への平行入射光Ｌ１は、その横凸状鏡面上の反射点位置に基づき異なる方向への横反射光Ｌ３として拡散する。
【００４３】
図３は、建物北側外壁面１ａに配設された縦凸状ブロック４（縦凸状鏡面部材３）への平行入射光Ｌ１が縦反射光Ｌ２の形で拡散する状態を示している。
【００４４】
図４(a)は、東西方向の吹抜け域からなるボイドスペース２の横凸状ブロック６（横凸状鏡面部材５）への平行入射光Ｌ１が横反射光Ｌ３の形で拡散する状態を示している。
【００４５】
図４(b)は、図２と同様の光拡散鏡面部材横ユニット７を、図４(a)の建物北側外壁面１ａに加えて，建物東側外壁面１ｂおよび建物西側外壁面１ｃの東西壁面にも取り付けた形のボイドスペース導光システムである。
【００４６】
この東西壁面への光拡散鏡面部材横ユニット７の取付けにより、朝方や夕方の太陽光の、ボイドスペース２の縦横方向への積極的な拡散作用が期待できる。
【００４７】
図５は、図２と同様の光拡散鏡面部材横ユニット７（７ａ〜７ｄ）を、少なくとも建物北側外壁面１ａおよび建物南側外壁面１ｄそれぞれの高さが交互に異なる縦方向位置に取り付けた形のボイドスペース導光システムである。
【００４８】
図５のボイドスペース導光システムの場合、建物北側外壁面１ａに取り付けられた最上の光拡散鏡面部材横ユニット７ａでの拡散反射光が、
その下方に配設されている「建物南側外壁面１ｄの上側の光拡散鏡面部材横ユニット７ｂ−建物北側外壁面１ａの下側の光拡散鏡面部材横ユニット７ｃ−建物南側外壁面１ｄの下側の光拡散鏡面部材横ユニット７ｄ」で順次拡散反射されていく。
【００４９】
図５の光拡散鏡面部材横ユニット７ａ〜７ｄを用いたいわば縦方向への連続拡散反射により、ボイドスペース２の内部について、その底面部分まで略均一の明るさに設定されることが十分期待できる。
【００５０】
図６は、ボイドスペース２への入射光の縦方向拡散反射および横方向拡散反射の各機能を併せ備えた斜め凸状鏡面部材８（８ａ〜８ｆ）からなるボイドスペース導光システムを示している。
【００５１】
なお、図６の説明では斜め凸状鏡面部材８が建物北側外壁面１ａに配設されることを前提とし、この外壁面に対する横方向としての「右（東側）」，「左（西側」を用いる。斜め凸状鏡面部材８の左下がり（右上がり）および右下がり（左上がり）の傾斜角度θはそれぞれ略４５度である
【００５２】
すなわち、凸状鏡面部材を建物北側外壁面１ａに、図１〜図５のように縦凸状鏡面部材３および横凸状鏡面部材５の形で取り付けるのではなく、ボイドスペース２の縦，横の双方に実質的に拡散反射する斜め凸状鏡面部材８の形で取り付けている。
【００５３】
このいわば単一の斜め凸状鏡面部材８の作用により、ボイドスペース２への平行入射光Ｌ１が、当該ボイドスペースの縦方向および横方向の各成分からなるいわば斜め方向への反射光として進んでいく。
【００５４】
図６(a)は、第一の斜め凸状鏡面部材８ａおよび第二の斜め凸状鏡面部材８ｃがそれぞれ複数連続するブロックからなり、その左下がりの第一の斜め凸状ブロック８ｂと右下がりの第二の斜め凸状ブロック８ｄとが略９０度の交差角で配設された状態を示している。
【００５５】
この配設状態は、第一の斜め凸状ブロック８ｂと第二の斜め凸状ブロック８ｄとが、また斜め凸状鏡面部材８の配設全体が上下方向軸の対称形状になっている。
【００５６】
図６(b)は、第一の斜め凸状鏡面部材８ａおよび第三の斜め凸状鏡面部材８ｅがそれぞれ複数連続するブロックからなり、その左下がりの第一の斜め凸状ブロック８ｂと右下がりの第三の斜め凸状ブロック８ｆとが略９０度の交差角で配設された状態を示している。
【００５７】
この配設状態は、第一の斜め凸状鏡面部材８ａと第三の斜め凸状鏡面部材８ｅとが、また斜め凸状鏡面部材８の配設全体が非対称形状になっている。
【００５８】
すなわち、第三の斜め凸状鏡面部材８ｅそれぞれの下端部分が第一の斜め凸状ブロック８ｂの下端部分と同一平面上にあり、かつ、この第三の斜め凸状鏡面部材それぞれの上端部分が当該第一の斜め凸状ブロックの右端部分と合致する形状になっている。
【００５９】
ここで第三の斜め凸状鏡面部材８ｅそれぞれは、第一の斜め凸状ブロック８ｂの右端部分と合致するように切断される。
【００６０】
図６（c)は、図６(a)の第一の斜め凸状ブロック８ｂと第二の斜め凸状ブロック８ｄとを構成する第一の斜め凸状鏡面部材８ａおよび第二の斜め凸状鏡面部材８ｃが、それぞれ離間対称位置に配設された状態を示している。
【００６１】
縦凸状鏡面部材３，横凸状鏡面部材５，斜め凸状鏡面部材８や、縦凸状ブロック４，横凸状ブロック６，斜め凸状ブロック８ｂ，８ｄ，８ｆなどを、建物外壁面１へ配設する際には、両面テープ，接着剤，ネジ止め，リベット止めなどの固定手段を用いる。
【００６２】
この各種凸状鏡面部材などは、建物外壁面１へ直接配設され、または基板を介する形で建物外壁面１へ配設される。
【００６３】
本発明のボイドスペース導光システムおよびそのための光拡散鏡面作用部が、以上の実施形態に限定されるものでないことは勿論であり、例えば、
(21)縦凸状鏡面部材３，横凸状鏡面部材５，斜め凸状鏡面部材８に代えて縦凹状鏡面部材，横凹状鏡面部材，斜め凹状鏡面部材を用いる、
(22)鏡面部材それぞれの断面形状を、凸状または凹状の円弧形状に代えて、凸状または凹状の楕円一部形状や凸状または凹状の多角形状に設定する、
(23)鏡面部材それぞれの断面形状を、楕円以外で、曲率が変化していく凸状曲線または凹状曲線の形状に設定する、
(24)鏡面部材それぞれの断面形状を、使用鏡面部材それぞれの単位で設定する、
(25)縦凸状ブロック４（縦凸状鏡面部材３）と横凸状ブロック６（横凸状鏡面部材５）とを建物外壁面１などに縦並びで配設する、
ようにしてもよい。
【符号の説明】
【００６４】
１：建物外壁面
１ａ：建物北側外壁面
１ｂ：建物東側外壁面
１ｃ：建物西側外壁面
１ｄ：建物南側外壁面
【００６５】
２：ボイドスペース
３：縦凸状鏡面部材（図１〜図５）
４：縦凸状ブロック
５：横凸状鏡面部材（図１〜図５）
６：横凸状ブロック
７，７ａ〜７ｄ：光拡散鏡面部材横ユニット（図２〜図５）
【００６６】
８：斜め凸状鏡面部材（図６のみで使用）
８ａ：第一の斜め凸状鏡面部材
８ｂ：第一の斜め凸状ブロック
８ｃ：第二の斜め凸状鏡面部材
８ｄ：第二の斜め凸状ブロック
８ｅ：第三の斜め凸状鏡面部材
８ｆ：第三の斜め凸状ブロック
【００６７】
Ｌ１：平行入射光
Ｌ２：縦反射光
Ｌ３：横反射光
θ：ボイドスペース横平面に対する第一，第二，第三の斜め凸状鏡面部材の傾斜角度
【図１】
2016133562.tif 000003
【図２】
2016133562.tif 000004
【図３】
2016133562.tif 000005
【図４】
2016133562.tif 000006
【図５】
2016133562.tif 000007
【図６】
2016133562.tif 000008